(57)【要約】【課題】  運転者が二輪車等の車両の走行中に頭を横に向けたりすることによって進行方向から視線をそらした場合でも運転者に情報を提供することができるとともに、運転者の目の負担を軽減し、多くの情報を提供することができる情報開示装置を提供する。【解決手段】  ヘルメット２１に設けられ、提供すべき情報に応じた画像を投射する画像投射装置３ａ〜３ｄと、ヘルメット２１の前面に設けられ、画像投射装置３ａ〜３ｄから投射される画像をヘルメット２１を着用した運転者が視認できる方向に反射するコンバイナ４ａ〜４ｄとを備え、画像投射装置３ａ〜３ｄからコンバイナ４ａ〜４ｄへ投射される画像が、ヘルメット２１を着用した運転者が前方に視線を向けたときの周辺視野Ｖｓ１に位置するように画像投射装置３ａ〜３ｄ及びコンバイナ４ａ〜４ｄが設けられている。【選択図】  図２
2008065593.tif 000002
【特許請求の範囲】
【請求項１】
ヘルメットに設けられ、提供すべき情報に応じた画像を投射する画像投射装置と、
前記ヘルメットの前面に設けられ、前記画像投射装置から投射される画像を前記ヘルメットを着用した運転者が視認できる方向に反射するコンバイナとを備え、
前記画像投射装置から前記コンバイナへ投射される画像が、前記ヘルメットを着用した運転者が前方に視線を向けたときの周辺視野に位置するように該画像投射装置及び該コンバイナが設けられた情報開示装置。
【請求項２】
前記画像投射装置から前記コンバイナへ投射される画像が、前記周辺視野のうち中心視野より下方の周辺視野に位置するように該画像投射装置及び該コンバイナが設けられた請求項１に記載の情報開示装置。
【請求項３】
前記画像投射装置は、前記提供すべき情報に応じて予め定められているアイコンの画像を投射するように構成された請求項１に記載の情報開示装置。
【請求項４】
前記画像投射装置は、前記提供すべき情報が左右の方向性を含む情報である場合に、その方向性に応じた位置に前記アイコンの画像を前記コンバイナへ投射するように構成された請求項３に記載の情報開示装置。
【請求項５】
前記画像投射装置から前記コンバイナへ投射される画像が前記コンバイナより前方に結像される虚像の位置から前記運転者の目の位置までの視点距離が略１ｍ以下であるように構成された請求項１に記載の情報開示装置。
【請求項６】
前記提供すべき情報に応じた音声を再生する音声再生装置が、前記ヘルメットに設けられた請求項１に記載の情報開示装置。
【請求項７】
前記提供すべき情報に応じた画像用コマンド及び音声用コマンドを出力する第１の情報処理装置が二輪車の車両本体に設けられるとともに、
前記画像用コマンド及び音声用コマンドを入力して、前記画像用コマンドを前記画像投射装置へ出力し前記音声用コマンドを前記音声再生装置へ出力する第２の情報処理装置が前記ヘルメットに設けられ、
前記画像投射装置は、前記画像用コマンドを入力し、予め記憶されている前記画像用コマンドに対応するデータに基づいて前記提供すべき情報に応じた画像を投射するように構成され、
前記音声再生装置は、前記音声用コマンドを入力し、予め記憶されている前記音声用コマンドに対応するデータに基づいて音声を再生するように構成された請求項６に記載の情報開示装置。
【発明の詳細な説明】
【技術分野】
【０００１】
本発明は、ヘルメットマウントディスプレイを備えた情報開示装置に関する。
【背景技術】
【０００２】
自動二輪車や原動機付き自転車等の二輪車では、運転者に、速度情報等を提供するために、運転用ハンドルの近傍に速度メータ等の計器類が取り付けられている。また、最近の四輪車同様、ナビゲーション装置を搭載したり、道路状況等の情報提供を行う装置を搭載する場合にも、二輪車の運転用ハンドルの近傍にそれらの装置が取り付けられることが予想される。このように、計器類も含めて様々な情報を提供するための装置（情報開示装置）が運転用ハンドルの近傍に取り付けられる。ところが、運転者は、二輪車の走行中には前方を注視する必要があるが、走行中に前方から視線をそらせて運転用ハンドルの近傍に取り付けられた情報開示装置を見なければならない。
【０００３】
そこで、特許文献１には、例えばウインドシールドに、運転者が前方に視線を向けたときの周辺視野の領域に位置するように、提供する情報を示す映像を表示するようにした情報開示装置が記載されている。
【０００４】
また、特許文献２には、ヘルメット内部からの視界において、前方の光景の最上部に、１列に配列された複数のＬＥＤ（発光素子）が配置され、ＬＥＤの点灯・点滅によって、ナビゲーション情報（誘導方向）を表示する情報開示装置が記載されている。
【０００５】
また、特許文献３には、ヘルメットのバイザにおいて、運転者が前方を正視したときに、左右の眼の隅にそれぞれ対応する部分に、ＬＣＤ（液晶表示装置）等の左右一対のディスプレイを設け、そのディスプレイに図形等により情報を表示する情報開示装置が記載されている。
【特許文献１】特開２００１−２７８１５３号公報
【特許文献２】特開平９−７３５９８号公報
【特許文献３】特開２００１−２８０９８２号公報
【発明の開示】
【発明が解決しようとする課題】
【０００６】
上記の特許文献１に記載の装置では、例えば、運転者が横を向いたりして進行方向から視線をそらし、ウインドシールドが視界から外れた場合には、提供される情報を見ることができない。
【０００７】
また、特許文献２に記載の装置では、提供される情報がＬＥＤの点灯・点滅によるナビゲーション情報に限られる。
【０００８】
また、特許文献３に記載の装置では、運転者の目の近くに配置されたＬＣＤ等のディスプレイに表示された画像を直接見るため、目の疲労が大きくなる。
【０００９】
本発明は上記のような課題を解決するためになされたもので、運転者が二輪車等の車両の走行中に頭を横に向けたりすることによって進行方向から視線をそらした場合でも運転者に情報を提供することができるとともに、運転者の目の負担を軽減し、多くの情報を提供することができる情報開示装置を提供することを目的としている。
【課題を解決するための手段】
【００１０】
上記課題を解決するために、本発明の情報開示装置は、ヘルメットに設けられ、提供すべき情報に応じた画像を投射する画像投射装置と、前記ヘルメットの前面に設けられ、前記画像投射装置から投射される画像を前記ヘルメットを着用した運転者が視認できる方向に反射するコンバイナ（半透明スクリーン）とを備え、前記画像投射装置から前記コンバイナへ投射される画像が、前記ヘルメットを着用した運転者が前方に視線を向けたときの周辺視野に位置するように該画像投射装置及び該コンバイナが設けられている。
【００１１】
この構成によれば、提供すべき情報に応じた画像が運転者の周辺視野の位置に表示されるため、運転者は二輪車等の車両の走行中に前方から視線をそらすことなく情報を取得することができる。また、画像が投射されるコンバイナはヘルメットに設けられているため、運転者が頭を横に向けたりすることによって進行方向から視線をそらした場合でも運転者は情報を取得することができる。また、提供すべき情報に応じた画像を表示することにより、運転者は画像を見て何の情報であるかを認識できるため、多くの情報を提供することができる。また、コンバイナに投射された画像は運転者の周辺視野にあり、運転者が例えば数十ｍ前方を見ている肉眼の視点距離を変えることなく、画像をコンバイナより前方にある虚像として認識できるように構成すれば、目の負担を軽減できる。
【００１２】
また、前記画像投射装置から前記コンバイナへ投射される画像が、前記周辺視野のうち中心視野より下方の周辺視野に位置するように該画像投射装置及び該コンバイナが設けられていてもよい。
【００１３】
通常、二輪車の場合には、速度が上昇するにつれて運転者の乗車姿勢が前傾し、視線がヘルメットの前面側の上部に近づくように移動するが、コンバイナに投射された画像が中心視野より下方の周辺視野の位置に表示されることにより、コンバイナに投射された画像が中心視野の領域内に入ることがなく、中心視野で見ている外界の風景が見にくくなることがないため、好ましい。
【００１４】
また、前記画像投射装置は、前記提供すべき情報に応じて予め定められているアイコンの画像を投射するように構成されていてもよい。
【００１５】
この構成によれば、運転者は、提供される情報が何であるかをアイコンの画像を見て直感的に把握することができる。
【００１６】
また、前記画像投射装置は、前記提供すべき情報が左右の方向性を含む情報である場合に、その方向性に応じた位置に前記アイコンの画像を前記コンバイナへ投射するように構成されていてもよい。
【００１７】
この構成によれば、運転者は、提供される情報に含まれる方向性をアイコンの画像の位置から直感的に把握することができる。
【００１８】
また、前記画像投射装置から前記コンバイナへ投射される画像が前記コンバイナより前方に結像される虚像の位置から前記運転者の目の位置までの視点距離が略１ｍ以下であるように構成されていてもよい。
【００１９】
この構成によれば、上記視点距離を略１ｍ以下に短くすることにより、画像投射装置からコンバイナまでの光路上に必要となる光学ユニットを簡素化できる。
【００２０】
また、前記提供すべき情報に応じた音声を再生する音声再生装置が、前記ヘルメットに設けられてあってもよい。
【００２１】
この構成によれば、提供すべき情報を画像と音声により運転者に報知するので、効果的に報知することができる。
【００２２】
さらに、前記提供すべき情報に応じた画像用コマンド及び音声用コマンドを出力する第１の情報処理装置が二輪車の車両本体に設けられるとともに、前記画像用コマンド及び音声用コマンドを入力して、前記画像用コマンドを前記画像投射装置へ出力し前記音声用コマンドを前記音声再生装置へ出力する第２の情報処理装置が前記ヘルメットに設けられ、前記画像投射装置は、前記画像用コマンドを入力し、予め記憶されている前記画像用コマンドに対応するデータに基づいて前記提供すべき情報に応じた画像を投射するように構成され、前記音声再生装置は、前記音声用コマンドを入力し、予め記憶されている前記音声用コマンドに対応するデータに基づいて音声を再生するように構成されていてもよい。
【００２３】
この構成によれば、提供すべき情報をコマンドにして伝送するため、二輪車の車両本体に設けられた第１の情報処理装置からヘルメットに設けられた第２の情報処理装置へ伝送する画像用コマンド及び音声用コマンドを１つの経路で伝送することができる。
【発明の効果】
【００２４】
本発明は、以上に説明した構成を有し、情報開示装置において、運転者が二輪車等の車両の走行中に頭を横に向けたりすることによって進行方向から視線をそらした場合でも運転者に情報を提供することができるとともに、運転者の目の負担を軽減し、多くの情報を提供することができるという効果を奏する。
【発明を実施するための最良の形態】
【００２５】
以下、本発明の好ましい実施の形態を、図面を参照しながら説明する。なお、本明細書において、二輪車とは、原動機付自転車、自動二輪車及びスクーター等のことである。
【００２６】
（実施の形態１）
図１は、本発明の実施の形態１の情報開示装置の全体構成を示すブロック図である。図２（ａ）は上記情報開示装置を搭載したヘルメットの側面図であり、図２（ｂ）は同ヘルメットの正面図である。
【００２７】
この情報開示装置は、図１に示すように、二輪車の運転者のヘルメット２１（図２）に搭載するヘルメット装置Ａと、二輪車に搭載する車載装置Ｂとを具備している。
【００２８】
ヘルメット装置Ａは、車載装置Ｂの無線通信装置７と近距離無線通信する無線通信装置１と、例えばマイクロプロセッサ等からなる情報処理装置２と、画像投射ユニット３と、光学ユニット４と、音声再生ユニット５と、スピーカ６とを備えている。また、このヘルメット装置Ａに必要な電力を供給する電源として用いられるバッテリ（図示せず）が、同ヘルメット装置Ａに内蔵されている。
【００２９】
このヘルメット装置Ａは、図２（ａ）、（ｂ）に示すように、例えばフルフェイス型のヘルメット２１に搭載され、ヘルメット２１の前面側の下部に、実線で示した画像投射ユニット３（３ａ〜３ｄ）及び光学ユニット４（４ａ〜４ｄ）が設けられている。なお、鎖線で示すように、画像投射ユニット３及び光学ユニット４をヘルメット２１の前面側の上部に設けるようにしてもよいが、以下では、まず、ヘルメット２１の前面側の下部に設けられているものとして説明する。画像投射ユニット３及び光学ユニット４によりヘルメットマウントディスプレイが構成される。
【００３０】
画像投射ユニット３として、それぞれ、例えばＬＥＤを用いたセグメント型のディスプレイにより構成される４個の画像投射装置３ａ〜３ｄを備えている。また、光学ユニット４としては、それぞれの画像投射装置３ａ〜３ｄに対応する４個のコンバイナ（半透明スクリーン）４ａ〜４ｄを備えている。なお、図２（ａ）では、４個のうちの１個の画像投射装置３ｂのみを図示し、４個のうちの１個のコンバイナ４ｂのみを図示し、それぞれ他の３個の図示を省略している。それぞれ対応するコンバイナ（４ａ〜４ｄ）と画像投射装置（３ａ〜３ｄ）とは、例えばコンバイナの端縁部を覆うように設けられたコンバイナのケースと画像投射装置のケースとが一体的に形成されて、対応するコンバイナと画像投射装置とが一体的にヘルメット２１に取り付けられている。
【００３１】
また、ヘルメット２１の内側に、運転者のほぼ両耳に対向する位置に左右一対のスピーカ６（左側スピーカ６Ｌ及び右側スピーカ６Ｒ）が配設されている。
【００３２】
さらに、ヘルメット２１の後頭部にケース２３が設けられ、このケース２３内に、無線通信装置１、情報処理装置２、音声再生ユニット５及び電源用のバッテリ（図示せず）が収容されている。ケース２３に収容されている情報処理装置２と、各画像投射装置３ａ〜３ｄとは配線（図示せず）によって電気的に接続されている。なお、上記バッテリは車体に取り付けることもできる。
【００３３】
コンバイナ４ａ〜４ｄは、いわゆるハーフミラーであり、ヘルメット２１を着用した運転者がコンバイナ４ａ〜４ｄを介して外界の風景を見ることができるとともに、画像投射装置３ａ〜３ｄから投射された光を反射させることができる。これらのコンバイナ４ａ〜４ｄは、運転者がバイザ２２を通して前方を正視したときの視線Ｅより下側の周辺視野Ｖｓ１の領域内に配置されている。なお、光学ユニット４をヘルメット２１の前面側の上部に設ける場合には、コンバイナ４ａ〜４ｄは、上記視線Ｅより上側の周辺視野Ｖｓ２の領域内に配置される。
【００３４】
図３は、中心視野及び周辺視野を説明するための概念図である。例えば、図３に示すように、人間の目２４（図２）は、中心視野Ｖｃと周辺視野Ｖｓ（Ｖｓ１及びＶｓ２）の２つの視野をもっている。中心視野Ｖｃは、物の形を細部にわたって鮮明に見ることのできる範囲であり、視線Ｅを中心にした約２０度（＝θｃ（図２））の範囲をいう。周辺視野Ｖｓは、中心視野Ｖｃの外側であって、上下約１３０度、左右約１８０度の範囲である。この周辺視野Ｖｓに位置する物については、ぼんやりとしか認識することができない。なお、中心視野Ｖｃと周辺視野Ｖｓのそれぞれの範囲には個人差があるため、コンバイナ４ａ〜４ｄが周辺視野Ｖｓ（Ｖｓ１）に配置されるように、コンバイナ４ａ〜４ｄと画像投射装置３ａ〜３ｄの取り付け位置を調整可能なように構成しておいてもよい。なお、図２、図３では、視線Ｅより下側の周辺視野をＶｓ１とし、視線Ｅより上側の周辺視野をＶｓ２として示している。
【００３５】
図１において、車載装置Ｂは、ヘルメット装置Ａの無線通信装置１と近距離無線通信する無線通信装置７と、例えばマイクロプロセッサ等からなる情報処理装置８とを備えるとともに、情報処理装置８と電気的に接続され、情報処理装置８へ各種情報を提供する機器として、ナイトビジョン装置９、カーナビゲーション装置（カーナビ装置）１０、接近車両検出装置１１、車両制御装置１２、車速センサ１３、タイヤ空気圧監視装置１４及び路車間通信装置１５を備えている。さらに、車載装置Ｂには、二輪車に予め搭載されている図示しないオートバイ用バッテリが電源として電気的に接続されている。
【００３６】
図４は、車載装置Ｂに含まれる各機器の搭載箇所の概略の一例を示す図である。車載装置Ｂのうち、無線通信装置７及び情報処理装置８は、１つのケース内にまとめて収容されて二輪車３１の後部座席部分３２に配設される。ナイトビジョン装置９は、二輪車３１の前部部分３３に配設され、カーナビ装置１０は、二輪車３１のハンドルの近傍部分３４に配設され、接近車両検出装置１１及び車両制御装置１２は、二輪車３１の運転座席の下方部分３５に配設され、車速センサ１３及びタイヤ空気圧監視装置１４は、前輪及び後輪のタイヤのホイール部分に配設されている。また、路車間通信装置１５は、二輪車３１の後部座席部分３２に配設され、無線通信装置７及び情報処理装置８と同じケース内に収容されてあってもよい。
【００３７】
ヘルメット装置Ａの無線通信装置１及び車載装置Ｂの無線通信装置７は、例えば、ブルートゥース（「Bluetooth（登録商標）」）と呼ばれる無線通信規格（IEEE 802.15.1）に準拠し、それぞれの間で、２．４ＧＨｚ帯の周波数の無線信号を利用して、例えば約１０ｍ以内で無線通信を行なうためのブルートゥースユニットを用いて構成している。このブルートゥースユニットを用いた無線通信装置１，７では、予めこれら無線通信装置１，７のグルーピング（ペアリング）設定をしておくことにより通信可能な空間範囲とその範囲内で自動的にコネクション（接続）処理が行なわれるように設定することができる。したがって、両無線通信装置１，７は、両者が予め設定されている所定の近距離通信可能範囲内に入ったとき、例えば、運転者がヘルメット２１を装着して二輪車に乗車したときに、両無線通信装置１，７が自動的にオン状態、すなわち通信可能モードに移行する。また、両無線通信装置１，７が所定の近距離通信可能範囲から逸脱したときに、自動的にオフ状態、すなわち通信停止モードに移行するように構成されている。
【００３８】
ナイトビジョン装置９は、夜間に、例えば遠赤外線カメラにより車両前方の歩行者を検出し、映像にして画面に表示する装置である。情報処理装置８では、ナイトビジョン装置９から映像信号を入力し、上記画面の表示領域を左側領域、右側領域、左側領域と右側領域との間の中央領域の３つの領域に分割した場合に、それぞれの領域に歩行者が存在しているか否かを判定し、歩行者が存在していると判定した領域の情報に応じた画像用コマンド及び音声用コマンドを選択して無線通信装置７へ出力する。
【００３９】
カーナビ装置１０は、ＧＰＳ（全地球測位システム）や車速パルス、ジャイロなどの自律航法装置を利用して、画面に車両の現在位置や目的地への走行経路案内情報を表示する装置である。情報処理装置８では、カーナビ装置１０から、目的地への走行経路案内情報のうち、次の交差点における進行方向の指示情報及び同交差点までの距離の情報を取得し、それらの情報を画像用コマンドにして無線通信装置７へ出力する。ここで、次の交差点における進行方向の指示情報としては、左折を指示する左折指示情報、直進を指示する直進指示情報、右折を指示する右折指示情報の３つの情報があり、このうち、情報処理装置８はカーナビ装置１０から入力された該当する情報に応じた画像用コマンドを選択して無線通信装置７へ出力する。また、次の交差点までの距離の情報については、例えば遠距離（例えば５０ｍ以上）、中距離（例えば２０ｍ〜５０ｍ）、近距離（例えば２０ｍ未満）の３つの情報のなかから、カーナビ装置１０から入力された情報に該当する情報を抽出し、抽出した情報に応じた画像用コマンドを選択して無線通信装置７へ出力する。
【００４０】
接近車両検出装置１１は、例えば、自車両及び他車両に搭載され、互いの車両情報（車両の位置、速度、進行方向及び車種等）を相互に通信する車車間通信装置を備え、他車両の車車間通信装置から送信された他車両の位置、速度、進行方向及び車種等の情報を取得し、これら取得した情報と、自車両の位置、速度及び進行方向等の情報とを用いて、運転者に対して注意を喚起すべき、前方略正面または後方からの接近車両、前方右側からの接近車両、前方左側からの接近車両を検出するとともに、その接近車両の車種（ここでは二輪車か、二輪車以外の自動車）を特定するための装置である。情報処理装置８では、接近車両検出装置１１から、運転者に対して注意を喚起すべき前方略正面または後方からの接近車両、前方右側からの接近車両、前方左側からの接近車両、及びそれら接近車両の車種（ここでは二輪車か、二輪車以外の自動車）の情報を取得し、取得した情報に応じた画像用コマンド及び音声用コマンドを選択して無線通信装置７へ出力する。
【００４１】
車両制御装置１２は、自車両の車両本体の電子制御装置である。情報処理装置８は、車両制御装置１２から、右折用及び右側車線に変更用のウィンカ（以下、右ウィンカという）の作動情報及び左折用及び左側車線に変更用のウィンカ（以下、左ウィンカという）の作動情報を取得し、それぞれの情報に応じた画像用コマンドを選択して無線通信装置７へ出力する。さらに、情報処理装置８は、車両制御装置１２から、エンジン回転数及びギアポジションの情報を取得し、それぞれの情報に応じた画像用コマンドを選択して無線通信装置７へ出力する。ここで、情報処理装置８は、車両制御装置１２から取得したエンジン回転数が、複数に分割された範囲のうちのどの範囲に入るかを判定し、判定した範囲に応じた画像用コマンドを選択するようにしている。なお、複数に分割された範囲とは、例えば、１０００ｒｐｍ（回転／分）未満の範囲（第１の範囲）、１０００ｒｐｍ以上で２０００ｒｐｍ未満の範囲（第２の範囲）、２０００ｒｐｍ以上で３０００ｒｐｍ未満の範囲（第３の範囲）、３０００ｒｐｍ以上で４０００ｒｐｍ未満の範囲（第４の範囲）、４０００ｒｐｍ以上で５０００ｒｐｍ未満の範囲（第５の範囲）、５０００ｒｐｍ以上で６０００ｒｐｍ未満の範囲（第６の範囲）、６０００ｒｐｍ以上で７０００ｒｐｍ未満の範囲（第７の範囲）、７０００ｒｐｍ以上で８０００ｒｐｍ未満の範囲（第８の範囲）、８０００ｒｐｍ以上で９０００ｒｐｍ未満の範囲（第９の範囲）、及び、９０００ｒｐｍ以上の範囲（第１０の範囲）の１０の範囲からなる。
【００４２】
車速センサ１３は、自車両の車両本体に取り付けられ、走行速度を検出するセンサである。情報処理装置８では、車速センサ１３から走行速度情報を取得し、取得した情報に応じた画像用コマンドを選択して無線通信装置７へ出力する。
【００４３】
タイヤ空気圧監視装置１４は、タイヤの空気圧不足を検出して警告情報（警告信号）を発する装置である。情報処理装置８では、タイヤ空気圧監視装置１４から発する警告情報を取得し、その情報に応じた画像用コマンドを選択して無線通信装置７へ出力する。
【００４４】
路車間通信装置１５は、例えば、ＩＴＳ（高度道路交通システム）の１つであるＡＨＳ（走行支援道路システム）における路車間通信を行うための無線装置である。情報処理装置８では、路車間通信装置１５により得られる情報を取得し、その取得情報が例えば前方に障害物があることを示す警告情報であった場合、その情報に応じた画像用コマンド及び音声用コマンドを選択して無線通信装置７へ出力する。
【００４５】
無線通信装置７では、情報処理装置８から入力された各種コマンドをヘルメット装置Ａの無線通信装置１へデジタルシリアル送信する。
【００４６】
ヘルメット装置Ａの無線通信装置１は、受信したコマンドを情報処理装置２へ出力する。情報処理装置２では、無線通信装置１を介して入力されるコマンドが画像用コマンドである場合には、そのコマンドを画像投射ユニット３へ出力し、音声用コマンドである場合には、そのコマンドを音声再生ユニット５へ出力する。画像投射ユニット３では、入力される画像用コマンドに応じて予め定められている定形の画像をコンバイナ（４ａ〜４ｄ）に表示する。また、音声再生ユニット５では、入力される音声用コマンドに応じて予め定められている定形の音声をスピーカ６から出力させる。この音声再生ユニット５では、入力される種々の音声用コマンドのそれぞれに対応してスピーカ６へ出力する音声信号のデータが予めその内蔵メモリに記憶されており、入力される音声用コマンドに対応する音声信号のデータに基づいてスピーカ６へ音声信号を出力することにより、スピーカ６から定形の音声が出力される。
【００４７】
なお、車載装置Ｂの情報処理装置８では、その内蔵メモリに、情報源（情報発信機器または情報取得機器）となるナイトビジョン装置９等の各機器（９〜１５）から得られる種々の情報に応じたコマンドが予め記憶されており、その中から情報源（９〜１５）から得られる情報に応じたコマンドを選択して無線通信装置７へ出力するように構成されている。また、ヘルメット装置Ａの情報処理装置２では、無線通信装置１を介して入力される各種コマンドが画像用コマンドであるか音声用コマンドであるかを識別できるように構成されている。例えば、画像用コマンドの一覧及び音声用コマンドの一覧をそれぞれテーブルとして内蔵しており、入力されるコマンドがいずれのテーブル内のコマンドと一致するかを判定することにより、画像用コマンドであるか音声用コマンドであるかを識別できる。
【００４８】
以上のように構成された情報開示装置について、以下、その動作を説明する。
【００４９】
まず、運転者がヘルメット２１を装着して二輪車に乗車すると、ヘルメット装置Ａの無線通信装置１と車載装置Ｂの無線通信装置７とが、所定の近距離通信可能範囲内に入り、自動的に通信可能モードに移行する。
【００５０】
そして、車載装置Ｂの情報処理装置８は、情報源（情報発信機器または情報取得機器）となるナイトビジョン装置９等の各機器（９〜１５）からそれぞれ得た各種情報に応じたコマンドを、無線通信装置７からヘルメット装置Ａの無線通信装置１へ送信させる。
【００５１】
ヘルメット装置Ａでは、無線通信装置１で受信したコマンドに応じて、前述のように画像投射ユニット３により定形の画像を表示するとともに、音声再生ユニット５によりスピーカ６から定形の音声を出力する。
【００５２】
図５（ａ）〜（ｄ）は、画像投射ユニット３を構成する各画像投射装置３ａ〜３ｄによって各コンバイナ４ａ〜４ｄに表示される画像の例を示した図である。
【００５３】
無線通信装置１で受信したコマンドが、ナイトビジョン装置９から得られた歩行者が左側領域に存在している情報を示す画像用コマンドである場合には、コンバイナ４ａに左から右方向へ進行する歩行者のアイコン４２が表示され、歩行者が中央領域に存在している情報を示す画像用コマンドである場合には、コンバイナ４ｂに正面を向いて立ち止まっている歩行者のアイコン５２が表示され、歩行者が右側領域に存在している情報を示す画像用コマンドである場合には、コンバイナ４ｄに右から左方向へ進行する歩行者のアイコン５７が表示される。
【００５４】
また、無線通信装置１で受信したコマンドが、ナイトビジョン装置９から得られた歩行者が左側領域に存在している情報を示す音声用コマンドである場合には、スピーカ６から、例えば「左側に歩行者あり」という定形の音声が出力され、歩行者が中央領域に存在している情報を示す音声用コマンドである場合には、スピーカ６から、例えば「正面に歩行者あり」という定形の音声が出力され、歩行者が右側領域に存在している情報を示す音声用コマンドである場合には、スピーカ６から、例えば「右側に歩行者あり」という定形の音声が出力される。
【００５５】
また、無線通信装置１で受信したコマンドが、カーナビ装置１０から得られた次の交差点において左折指示情報を示す画像用コマンドである場合には、コンバイナ４ｂに左折を示すアイコン４６が表示され、直進指示情報を示す画像用コマンドである場合には、コンバイナ４ｂに直進を示すアイコン４７が表示され、右折指示情報を示す画像用コマンドである場合には、コンバイナ４ｂに右折を示すアイコン４８が表示される。また、カーナビ装置１０から得られた交差点までの距離が遠距離を示す画像用コマンドである場合には、長い線分と短い線分とを示す２つのアイコン４９が表示され、中距離を示す画像用コマンドである場合には、長い線分を示す上の方の１つのアイコン４９が表示され、近距離を示す画像用コマンドである場合には、２つのアイコン４９のどちらも表示されない。このように、次の交差点においての進行方向を示す４６〜４８のうちのいずれか１つのアイコンが表示された下方に、同交差点までの距離の情報を示すアイコン４９が表示あるいは非表示される。
【００５６】
また、無線通信装置１で受信したコマンドが、接近車両検出装置１１から得られた前方左側から接近車両があり、それが二輪車である情報を示す画像用コマンドである場合には、コンバイナ４ａに左から右方向へ進行する二輪車を示すアイコン４３が表示され、自動車である情報を示す画像用コマンドである場合には、コンバイナ４ａに左から右方向へ進行する自動車を示すアイコン４４が表示される。前方略正面または後方からの接近車両があり、それが二輪車である情報を示す画像用コマンドである場合には、コンバイナ４ｂに同方向または逆方向へ進行する二輪車を示すアイコン５０が表示され、自動車である情報を示す画像用コマンドである場合には、コンバイナ４ｂに同方向または逆方向へ進行する自動車を示すアイコン５１が表示される。また、前方右側から接近車両があり、それが二輪車である情報を示す画像用コマンドである場合には、コンバイナ４ｄに右から左方向へ進行する二輪車を示すアイコン５８が表示され、自動車である情報を示す画像用コマンドである場合には、コンバイナ４ｄに右から左方向へ進行する自動車を示すアイコン５９が表示される。
【００５７】
また、無線通信装置１で受信したコマンドが、接近車両検出装置１１から得られた前方左側から接近車両があり、それが二輪車である情報を示す音声用コマンドである場合には、スピーカ６から、例えば「左側から二輪車接近」という定形の音声が出力され、自動車である情報を示す音声用コマンドである場合には、スピーカ６から、例えば「左側から自動車接近」という定形の音声が出力される。前方略正面または後方からの接近車両があり、それが二輪車である情報を示す音声用コマンドである場合には、スピーカ６から、例えば「前から二輪車接近」または「後ろから二輪車接近」という定形の音声が出力され、自動車である情報を示す音声用コマンドである場合には、スピーカ６から、例えば「前から自動車接近」または「後ろから自動車接近」という定形の音声が出力される。また、前方右側から接近車両があり、それが二輪車である情報を示す音声用コマンドである場合には、スピーカ６から、例えば「右側から二輪車接近」という定形の音声が出力され、自動車である情報を示す音声用コマンドである場合には、スピーカ６から、例えば「右側から自動車接近」という定形の音声が出力される。
【００５８】
また、無線通信装置１で受信したコマンドが、車両制御装置１２から得られた右ウィンカの作動情報を示す画像用コマンドである場合には、コンバイナ４ａに右方向を示すアイコン４１で表示され、左ウィンカの作動情報を示す画像用コマンドである場合には、コンバイナ４ｄに左方向を示すアイコン６０が表示される。
【００５９】
また、無線通信装置１で受信したコマンドが、車両制御装置１２から得られたエンジン回転数が入る範囲を示す画像用コマンドである場合には、コンバイナ４ｃの表示領域５５に、エンジン回転数の多少の程度を示すようにバー（四角形）が表示される。エンジン回転数が、前述の第１の範囲に入ることを示す画像用コマンドである場合には、全てのバーを非表示とし、第２の範囲に入ることを示す画像用コマンドである場合には、左側から数えて１つ目のバーのみが表示され、第３の範囲に入ることを示す画像用コマンドである場合には、左側から数えて１つ目と２つ目のバーが表示され、第４の範囲に入ることを示す画像用コマンドである場合には、左側から数えて１つ目から３つ目までのバーが表示され、以下、同様に表示がなされ、そして、第１０の範囲に入ることを示す画像用コマンドである場合には、左側から数えて１つ目から９つ目までのバー、すなわち全てのバーが表示される。
【００６０】
また、無線通信装置１で受信したコマンドが、車両制御装置１２から得られたギアポジションに応じた画像用コマンドである場合には、ギアポジションの情報が数字として、コンバイナ４ｄの表示領域５６に表示される。
【００６１】
また、無線通信装置１で受信したコマンドが、車速センサ１３から得られた走行速度情報に応じた画像用コマンドである場合には、走行速度が数字として、コンバイナ４ｃの表示領域５４に表示される。
【００６２】
また、無線通信装置１で受信したコマンドが、タイヤ空気圧監視装置１４から得られた警告情報に応じた画像用コマンドである場合には、コンバイナ４ａにタイヤの空気圧不足を示す情報が例えばＷのアイコン４５が表示される。
【００６３】
また、無線通信装置１で受信したコマンドが、路車間通信装置１５から得られた前方に障害物があることを示す警告情報に応じた画像用コマンドである場合には、コンバイナ４ｂにアイコン５３が表示される。
【００６４】
また、無線通信装置１で受信したコマンドが、路車間通信装置１５から得られた前方に障害物があることを示す警告情報に応じた音声用コマンドである場合には、スピーカ６から、例えば「前方に障害物あり」という定形の音声が出力される。
【００６５】
なお、上記では、ナイトビジョン装置９、接近車両検出装置１１及び路車間通信装置１５から得られた情報に対しては、画像表示だけでなく、スピーカ６から音声を出力するように構成しているが、この例に限られるものではない。例えば、カーナビ装置１０から得られた次の交差点における進行方向の案内をスピーカ６から音声にて出力するように構成してもよい。
【００６６】
本実施の形態では、提供すべき情報に応じた画像が運転者の周辺視野の位置に表示されるため、運転者は二輪車の走行中に前方から視線をそらすことなく情報を取得することができる。また、画像が投射されるコンバイナ４ａ〜４ｄはヘルメット２１に装着されているため、運転者が頭を横に向けたりすることによって進行方向から視線をそらした場合でも運転者は情報を取得することができる。また、提供すべき情報に応じた画像を表示することにより、運転者は画像を見て何の情報であるかを認識できるため、多くの情報を提供することができる。また、コンバイナ４ａ〜４ｄに投射された画像は運転者の周辺視野にあり、運転者が例えば数十ｍ前方を見ている肉眼の視点距離を変えることなく、画像をコンバイナ４ａ〜４ｄより前方にある虚像として認識できるように構成すれば、目の負担を軽減できる。
【００６７】
また、画像投射装置３ａ〜３ｄは、提供すべき情報に応じて予め定められているアイコン等の画像を投射するように構成されているため、運転者は、提供される情報が何であるかをアイコンの画像を見て直感的に把握することができる。
【００６８】
また、画像投射装置３ａ〜３ｄは、提供すべき情報が左右の方向性を含む情報である場合に、その方向性に応じた位置にアイコンの画像をコンバイナ４ａ〜４ｄへ投射するように構成されているため、運転者は、提供される情報に含まれる方向性をアイコンの画像の位置から直感的に把握することができる。例えば、アイコン４１と６０、アイコン４２と５７、アイコン４３と５８、アイコン４４と５９が、方向性に応じた位置に投射されたアイコンである。また、前後の方向性を含む情報を示すアイコン５０、５１、５２や、進行方向を示すアイコン４６、４７、４８のように視る頻度の多いアイコンや、走行速度等のように視る頻度の多い情報は、見やすいように中央のコンバイナ４ｂ、４ｃへ投射するように構成されている。
【００６９】
また、例えば、ナイトビジョン装置９、接近車両検出装置１１及び路車間通信装置１５から得られる情報のように、特に運転者に注意を喚起する情報の場合には、画像表示だけでなく、スピーカ６からの音声によっても運転者に報知することにより、効果的に報知することができる。
【００７０】
また、提供すべき情報をコマンドにして車載装置Ｂからヘルメット装置Ａへ伝送するため、画像用コマンド及び音声用コマンドを１つの経路（無線通信装置１，７による通信）で伝送することができる。
【００７１】
なお、本実施の形態において、光学ユニット４（４ａ〜４ｄ）及び画像投射ユニット３（３ａ〜３ｄ）を、鎖線で示すように、ヘルメット２１の前面側の上部に設けて、視線Ｅより上側の周辺視野Ｖｓ２の領域内にアイコン等の画像を表示するようにしてもよい。しかし、通常、二輪車の速度が上昇するにつれて、運転者の乗車姿勢が前傾し、それにより視線Ｅがヘルメット２１の前面側の上部に近づくように移動し、コンバイナ４ａ〜４ｄに表示される画像が中心視野の領域内に入るおそれがある。この場合、コンバイナ４ａ〜４ｄに表示される画像によって、中心視野で見ている外界の風景が見にくくなる。したがって、少なくともコンバイナ４ａ〜４ｄをヘルメット２１の前面側の下部に設けて、視線Ｅより下側の周辺視野Ｖｓ１の領域内に画像を表示するようにすれば、運転者の乗車姿勢が前傾し、視線Ｅがヘルメット２１の前面側の上部に近づくように移動しても、コンバイナ４ａ〜４ｄに表示される画像が中心視野の領域内に入ることがないので好ましい。
【００７２】
また、画像投射ユニット３（画像投射装置３ａ〜３ｄ）をヘルメット２１の前面側の上部に設けるとともに、コンバイナ４ａ〜４ｄをヘルメット２１の前面側の下部（例えば視線Ｅより下側の周辺視野Ｖｓ１の領域）に設けて、画像投射装置３ａ〜３ｄから出射される光（画像）をコンバイナ４ａ〜４ｄによって運転者が視認できる方向に反射または回折するように構成してもよい。
【００７３】
また、画像投射装置３ａ〜３ｄ及びコンバイナ４ａ〜４ｄを４組備えているが、これに限られず、１組以上備えていればよい。
【００７４】
また、光学ユニット４として、コンバイナ４ａ〜４ｄのみを示しているが、各々の画像投射装置３ａ〜３ｄから各々のコンバイナ４ａ〜４ｄまでの光路上に、運転者の目の位置からコンバイナ４ａ〜４ｄへ投射される画像がコンバイナ４ａ〜４ｄより前方に結像される虚像の位置までの距離（視点距離）を長くするための種々の光学レンズを配設するようにしてもよい。視点距離を数十ｍあるいは無限遠のように長くするほど、画像を鮮明に見ることができるが、そのための光学ユニット４の構成が複雑になり、コストが高くなる。コンバイナ４ａ〜４ｄを介して視る画像は周辺視野でぼんやりと見せるようにしているため、視点距離は短くてもよく、視点距離を１０ｍ以下、さらには１ｍ以下、例えば数十ｃｍ程度としてもよい。視点距離を短くした方が光学ユニット４の構成が簡単になり、低コスト化を図れる。
【００７５】
なお、車載装置Ｂとヘルメット装置Ａとの間の情報伝送を無線通信にて行うようにしているが、有線通信にて行うようにしてもよい。ただし、無線通信の方が車載装置Ｂとヘルメット装置Ａとの間の配線が不要であるため、配線による煩わしさがない。
【００７６】
なお、図５に示された情報の画像、及びそれらの情報を取得するために図１に示された情報源（９〜１５の各機器）は、一例であり、このような例に限られるものではない。図１に示された全ての情報源を用いる必要はなく、また、他の情報源を備えてその情報源から得られる情報を画像表示するようにしてもよい。例えば、ＩＴＳの１つであるＶＩＣＳ（道路交通情報通信システム）によって提供される情報を受信する通信装置を情報源として備えてあってもよい。
【００７７】
（実施の形態２）
本発明の実施の形態２の情報開示装置の全体構成を示すブロック図は、実施の形態１と同じ図１で示される。図６（ａ）は上記情報開示装置を搭載したヘルメットの側面図であり、図６（ｂ）は同ヘルメットの正面図である。
【００７８】
本実施の形態２における情報開示装置では、それに含まれるヘルメットマウントディスプレイの画像投射ユニット３及び光学ユニット４の構成が実施の形態１の場合と異なる。これ以外の構成は実施の形態１の場合と同様であり、その説明を省略する。
【００７９】
本実施の形態では、画像投射ユニット３として、ＬＣＤ（液晶ディスプレイ）またはＶＦＤ（真空蛍光ディスプレイ）等から構成されたドットマトリクス表示可能な画像投射装置３Ａを１つ備えている。この画像投射装置３Ａは、カラー表示を行うものでもよいし、モノクロ表示を行うものでもよい。また、光学ユニット４として、画像投射装置３Ａに表示された画像を運転者が視認できる方向に反射または回折する１つのコンバイナ（ハーフミラー）４Ａを備えている。
【００８０】
本実施の形態では、ヘルメット２１の前面側の下部中央に、実線で示したコンバイナ４Ａ及び画像投射装置３Ａを設けている。なお、鎖線で示すように、コンバイナ４Ａ及び画像投射装置３Ａをヘルメット２１の前面側の上部中央に設けるようにしてもよい。あるいは、画像投射装置３Ａをヘルメット２１の前面側の上部中央に設けて、コンバイナ４Ａをヘルメット２１の前面側の下部中央（例えば視線Ｅより下側の周辺視野Ｖｓ１の領域）に設けるようにしてもよい。また、画像投射装置３Ａ及びコンバイナ４Ａを設ける位置は、ヘルメット２１の前面側の下部または上部の中央に限られるものではない。例えば、ヘルメット２１の前面側の下部または上部の右側または左側であってもよい。
【００８１】
本実施の形態では、画像投射装置３Ａがドットマトリクス表示可能なディスプレイである。画像投射装置３Ａでは、無線通信装置１で受信される画像用コマンドが情報処理装置２を介して入力されるが、種々の画像用コマンドのそれぞれに対応して画像を表示するためのデータ（表示用データ）が予めその内蔵メモリに記憶されており、入力される画像用コマンドに対応する表示用データに基づいて画像が表示される。
【００８２】
この場合、画像投射装置３Ａはドットマトリクス表示型のディスプレイであるので、例えば図５に示された画像（情報）のうち、情報源から得られた各情報に対する画像を切り換えて表示させるように構成されている。したがって、同一の表示位置に、複数の画像（例えば、二輪車のアイコンと自動車のアイコン等）が切り換えられて表示される。
【００８３】
なお、簡素化のため、例えば、提供すべき情報を選択でき、その選択を切り替えられるように構成してもよい。例えば、ナイトビジョン装置９ないし路車間通信装置１５の情報源の中から、所望する情報源を選択するための選択ボタンを車載装置Ｂあるいはヘルメット装置Ａに設け、選択ボタンにより選択された情報源から得られた情報に対する画像のみを表示させるようにしてもよい。なお、車載装置Ｂに選択ボタンを設けている場合には、車載装置Ｂの情報処理装置８において、選択ボタンにより選択されていない情報源からの情報に対する画像用コマンドの生成出力を停止し、選択ボタンにより選択されている情報源から得られる情報についてのみ画像用コマンドの生成出力を行うようにすればよい。また、ヘルメット装置Ａに選択ボタンを設けている場合には、例えば、ヘルメット装置Ａの情報処理装置２において、選択ボタンにより選択されている情報源から得られる情報に応じた画像用コマンドについてのみ、画像投射ユニット３へその画像用コマンドを出力するようにし、選択されていない情報源から得られる情報に応じた画像用コマンドについては廃棄するようにすればよい。あるいは、選択ボタンによる選択情報を無線通信装置１、７を介して車載装置Ｂの情報処理装置８が取得し、前述の車載装置Ｂに選択ボタンを設けている場合と同様に処理を行うようにしてもよい。ここで、選択ボタンは各々の情報源に対応して設けているが、常に重要と考えられる情報源に対しては、選択ボタンを設けずに、常に情報（画像）が提供されるようにしてもよい。
【００８４】
また、上記の選択ボタンに代えて、例えば、複数の表示モードを切り替えるモード切替スイッチを設けてもよい。この場合、各々の表示モードにおいて選択される複数の情報源を予め定めておき、モード切替スイッチによって選択されている表示モードに応じた情報源が選択されるように構成すればよい。この場合、異なる表示モードにおいて同一の情報源が重複して選択されるようにしてもよい。
【００８５】
いずれにしても、画像投射装置３Ａは、提供すべき情報が左右の方向性を含む情報である場合には、その方向性に応じた位置にアイコンの画像をコンバイナ４Ａへ投射するように構成されている。
【００８６】
また、画像投射装置３Ａ及びコンバイナ４Ａを複数設けて、表示すべき画像を分担するようにしてもよい。例えば、画像投射装置３Ａ及びコンバイナ４Ａを２組設ける場合、ヘルメット２１の前面側の下部または上部の右側と左側のそれぞれに、画像投射装置３Ａ及びコンバイナ４Ａを設けるようにすればよい。
【００８７】
また、光学ユニット４として、コンバイナ４Ａのみを示しているが、各々の画像投射装置３Ａから各々のコンバイナ４Ａまでの光路上に、運転者の目の位置からコンバイナ４Ａへ投射される画像がコンバイナ４Ａより前方に結像される虚像の位置までの距離（視点距離）を長くするための種々の光学レンズを配設するようにしてもよい。視点距離を数十ｍあるいは無限遠のように長くするほど、画像を鮮明に見ることができるが、そのための光学ユニット４の構成が複雑になり、コストが高くなる。コンバイナ４Ａを介して視る画像は周辺視野でぼんやりと見せるようにしているため、視点距離は短くてもよく、視点距離を１０ｍ以下、さらには１ｍ以下、例えば数十ｃｍ程度としてもよい。視点距離を短くした方が光学ユニット４の構成が簡単になり、低コスト化を図れる。
【００８８】
また、車載装置Ｂとヘルメット装置Ａとの間の情報伝送を無線通信にて行うようにしているが、有線通信にて行うようにしてもよい。
【００８９】
本実施の形態２では、実施の形態１における画像投射装置３ａ〜３ｄがセグメント型のディスプレイにより構成されてあったのに対し、画像投射装置３Ａがドットマトリクス表示型のディスプレイにより構成されていること以外は、基本的に実施の形態１と同様の構成であり、実施の形態１の場合と同様の効果が得られる。画像投射装置３Ａがドットマトリクス表示型のディスプレイにより構成されていることにより、表示領域が小さくても多くの情報を選択的に表示することができる。
【００９０】
なお、上記の実施の形態１，２では、コンバイナ（４ａ〜４ｄ、４Ａ）及び画像投射装置（３ａ〜３ｄ、３Ａ）をヘルメット２１の外側に取り付けているが、バイザ２２をハーフミラーによって構成してコンバイナ（４ａ〜４ｄ、４Ａ）の機能を持たせ、画像投射装置（３ａ〜３ｄ、３Ａ）をヘルメット２１の内側に収納するように構成してもよい。
【００９１】
また、実施の形態１，２では、音声再生ユニット５により、音声用コマンドに応じて予め定められている定形の音声をスピーカ６から出力されるようにしたが、定形の音声に限られるものではない。例えば、音声再生ユニット５内のコンピュータにより、音声用コマンドに応じてスピーカ６から出力させるべき音声（音声信号）を生成するようにしてもよい。また、スピーカ６の代わりに、イヤホーンを設けてあってもよい。
【００９２】
また、実施の形態１，２では、車載装置Ｂが二輪車に搭載された二輪車用の情報開示装置として説明したが、車載装置Ｂを二輪車以外の車両に搭載した構成とすることもできる。この場合、その車両の運転者がヘルメット２１を装着すればよい。
【産業上の利用可能性】
【００９３】
本発明に係る情報開示装置は、二輪車等の運転者に走行中に様々な情報を提供することができる情報開示装置等として有用である。
【図面の簡単な説明】
【００９４】
【図１】本発明の実施の形態１の情報開示装置の全体構成を示すブロック図である。
【図２】（ａ）は、本発明の実施の形態１の情報開示装置を搭載したヘルメットの側面図であり、（ｂ）は同ヘルメットの正面図である。
【図３】中心視野及び周辺視野を説明するための概念図である。
【図４】本発明の実施の形態１の情報開示装置の車載装置に含まれる各機器の搭載箇所の概略の一例を示す図である。
【図５】（ａ）〜（ｄ）は、本発明の実施の形態１における４つの各コンバイナに表示される画像の例を示した図である。
【図６】（ａ）は、本発明の実施の形態２の情報開示装置を搭載したヘルメットの側面図であり、（ｂ）は同ヘルメットの正面図である。
【符号の説明】
【００９５】
１、７  無線通信装置
２、８  情報処理装置
３  画像投射ユニット
３ａ〜３ｄ、３Ａ  画像投射装置
４  光学ユニット
４ａ〜４ｄ、４Ａ  コンバイナ
５  音声再生ユニット
６  スピーカ
【図１】
2008065593.tif 000003
【図２】
2008065593.tif 000004
【図３】
2008065593.tif 000005
【図４】
2008065593.tif 000006
【図５】
2008065593.tif 000007
【図６】
2008065593.tif 000008